【事件の表示】
　特許第３２３３１０１号「コンバインの刈取部」の請求項１に係る特許に対する特許異議の申立てについて、次のとおり決定する。
【結　論】
　訂正を認める。
　特許第３２３３１０１号の請求項１に係る特許を維持する。
【理　由】
１．手続の経緯
　本件特許第３２３３１０１号の請求項１に係る発明（以下、「本件発明」という。）についての出願は、平成３年１月１８日に特許出願された特願平３−１８２３６号の一部を、平成１０年５月１１日に新たな特許出願とし、平成１３年９月２１日にその発明について特許権の設定登録がなされ、この特許に対し、平成１４年５月２３日に異議申立人　ヤンマー農機株式会社より特許異議の申立てがなされ、取消し理由を通知したところ、平成１４年１０月２８日に特許異議意見書と訂正請求書が提出され、異議申立人から回答書が提出されたものである。
　
２．訂正請求について
２-1．訂正の内容
　特許権者が求めている訂正の内容は、特許明細書を上記手続補正で補正された訂正明細書のとおりに訂正しようとするものである（下線部が訂正個所である）。
（１）訂正事項ａ
　特許請求の範囲の【請求項１】に記載された「複数条の穀稈を引き起こす穀稈引起し装置と、該穀稈引起し装置により引き起こされた複数条の穀稈を刈り取る刈刃と、該刈刃により刈り取られた穀稈を脱穀装置側へ搬送する穂先側搬送装置と株元側搬送装置とを具備するコンバインの刈取部において、前記複数の引起し装置を連動して駆動する上部伝動軸を引起し装置の上方に配置し、前記複数の引起し装置を上部伝動軸から下向きに設けた伝動軸を介して駆動すると共に、前記上部の穂先側搬送装置に、左側部の条の穀稈上部を搬送する左側上部の穂先側搬送機構と、中央部の条の穀稈上部を搬送する中央上部の穂先側搬送機構と、右側部の条の穀稈上部を搬送する右側上部の穂先側搬送機構とを設け、前記右側上部の穂先側搬送機構を前記伝動軸から下向きに設けた軸を介して駆動する一方、前記左側上部の穂先側搬送機構は、刈取部の下部左右方向下部伝動軸から立ち上がる側部伝動軸の上下中間位置から内側に突出させて設けた側部横伝動軸に設けた側部取付筒内に設けた軸の上端部に取付け、前記下部の株元側搬送装置に、左側部の条の穀稈下部を搬送する左側下部の株元側搬送機構と、中央部の条の穀稈下部を搬送する中央下部の株元側搬送機構と、右側部の条の穀稈下部を搬送する右側下部の株元側搬送機構とを設け、前記左側下部の株元側搬送機構の、その下手側の穀稈搬送路と、前記右側下部の株元側搬送機構の、その下手側の穀稈搬送路との合流部は、脱穀装置に穀稈を供給する供給搬送装置側に偏位して設けたことを特徴とするコンバインの刈取部。」を、
　「
機体に回動自在に取付けた入力伝動筒に縦支持筒の基部を取付けて該縦支持筒の下部先端に取付けた刈取部フレームと、
前記刈取部フレームは、前記縦支持筒の下部に取付ける左右方向の下部伝動筒と、該下部伝動筒の左右いずれか一側に上方に起立するように設けた側部伝動筒と、前記下部伝動筒の左右いずれか他側に上方に起立するように設けた伝動機構を有しない側部支持フレームと、前記側部伝動筒および側部支持フレームの上部を連結固定する左右方向の上部伝動筒とを有すると共に、前記縦支持筒内には縦伝動軸を、前記下部伝動筒内には前記下部伝動軸を、前記側部伝動筒内には前記側部伝動軸を、前記上部伝動筒内には前記上部伝動軸をそれぞれ設け、
（２）訂正事項ｂ
　特許明細書の段落【０００４】の記載を、
　「【課題を解決するための手段】
　本発明の上記課題は次の構成によって達成される。すなわち、
機体に回動自在に取付けた入力伝動筒に縦支持筒の基部を取付けて該縦支持筒の下部先端に取付けた刈取部フレームと、
前記刈取部フレームは、前記縦支持筒の下部に取付ける左右方向の下部伝動筒と、該下部伝動筒の左右いずれか一側に上方に起立するように設けた側部伝動筒と、前記下部伝動筒の左右いずれか他側に上方に起立するように設けた伝動機構を有しない側部支持フレームと、前記側部伝動筒および側部支持フレームの上部を連結固定する左右方向の上部伝動筒とを有すると共に、前記縦支持筒内には縦伝動軸を、前記下部伝動筒内には前記下部伝動軸を、前記側部伝動筒内には前記側部伝動軸を、前記上部伝動筒内には前記上部伝動軸をそれぞれ設け、
（３）訂正事項ｃ
　特許明細書の段落【００１５】（同公報５欄１７行）に記載された「入力天童筒４１」を、「入力
伝動
（４）訂正事項ｄ
　特許明細書の段落【００２５】の記載を、「【発明の効果】
　本発明は前述のごとく、
機体に回動自在に取付けた入力伝動筒に縦支持筒の基部を取付けて該縦支持筒の下部先端に取付けた刈取部フレームと、
前記刈取部フレームは、前記縦支持筒の下部に取付ける左右方向の下部伝動筒と、該下部伝動筒の左右いずれか一側に上方に起立するように設けた側部伝動筒と、前記下部伝動筒の左右いずれか他側に上方に起立するように設けた伝動機構を有しない側部支持フレームと、前記側部伝動筒および側部支持フレームの上部を連結固定する左右方向の上部伝動筒とを有すると共に、前記縦支持筒内には縦伝動軸を、前記下部伝動筒内には前記下部伝動軸を、前記側部伝動筒内には前記側部伝動軸を、前記上部伝動筒内には前記上部伝動軸をそれぞれ設け、
　
２-2．訂正の適否
（１）訂正事項ａについて
　上記訂正事項ａは、本件請求項１に係る発明において、刈取部フレームの構成を限定する訂正であるから、特許請求の範囲の減縮を目的とするものである。
　そして、刈取部フレームの構成については、段落【０００６】及び図３に記載されているから、上記訂正事項ａによる訂正は、願書に添付した明細書又は図面に記載した事項の範囲内においてするものであって新規事項を追加するものでなく、かつ、実質上特許請求の範囲を拡張し、又は変更するものではない。
（２）訂正事項ｂ及びｄについて
　上記訂正事項ｂ及びｄは、発明の詳細な説明の記載を訂正後の特許請求の範囲の記載と整合させるためのものであるから、訂正事項ｂ及びｄによる訂正は明りょうでない記載の釈明を目的とするものである。
　そして、上記訂正事項ｂ及びｄによる訂正は、願書に添付した明細書又は図面に記載した事項の範囲内においてするものであって新規事項を追加するものでなく、かつ、実質上特許請求の範囲を拡張し、又は変更するものではない。
（３）訂正事項ｃについて
　上記訂正事項ｃは、「入力天童筒４１」を「入力
伝動
　
２-3．むすび
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項の規定に適合するので、当該訂正を認める。
　
３．特許異議申立てについて
３-1．特許異議申立ての理由の概要
　本件請求項１に係る発明は、下記の甲第１ないし３号証に記載された発明に基いて当業者が容易に発明をすることができたものであるから、その特許は特許法第２９条第２項の規定に違反してされたものである。
　　　　　　　　　　　　　　　記
　甲第１号証：特開平２−３５０１７号公報
　甲第２号証：特開平１−１７１４０８号公報
　甲第３号証：実開昭６２−３９４３５号公報
　
３-2．本件発明
　上記「２．訂正請求について」で示したように上記訂正が認められるから、本件請求項１に係る発明（以下、「本件発明」という。）は、訂正後の特許明細書における特許請求の範囲に記載された次のとおりのものである。
　「機体に回動自在に取付けた入力伝動筒に縦支持筒の基部を取付けて該縦支持筒の下部先端に取付けた刈取部フレームと、複数条の穀稈を引き起こす穀稈引起し装置と、該穀稈引起し装置により引き起こされた複数条の穀稈を刈り取る刈刃と、該刈刃により刈り取られた穀稈を脱穀装置側へ搬送する穂先側搬送装置と株元側搬送装置とを具備するコンバインの刈取部において、前記複数の引起し装置を連動して駆動する上部伝動軸を引起し装置の上方に配置し、前記複数の引起し装置を上部伝動軸から下向きに設けた伝動軸を介して駆動すると共に、前記上部の穂先側搬送装置に、左側部の条の穀稈上部を搬送する左側上部の穂先側搬送機構と、中央部の条の穀稈上部を搬送する中央上部の穂先側搬送機構と、右側部の条の穀稈上部を搬送する右側上部の穂先側搬送機構とを設け、前記右側上部の穂先側搬送機構を前記伝動軸から下向きに設けた軸を介して駆動する一方、前記左側上部の穂先側搬送機構は、刈取部の下部左右方向下部伝動軸から立ち上がる側部伝動軸の上下中間位置から内側に突出させて設けた側部横伝動軸に設けた側部取付筒内に設けた軸の上端部に取付け、前記刈取部フレームは、前記縦支持筒の下部に取付ける左右方向の下部伝動筒と、該下部伝動筒の左右いずれか一側に上方に起立するように設けた側部伝動筒と、前記下部伝動筒の左右いずれか他側に上方に起立するように設けた伝動機構を有しない側部支持フレームと、前記側部伝動筒および側部支持フレームの上部を連結固定する左右方向の上部伝動筒とを有すると共に、前記縦支持筒内には縦伝動軸を、前記下部伝動筒内には前記下部伝動軸を、前記側部伝動筒内には前記側部伝動軸を、前記上部伝動筒内には前記上部伝動軸をそれぞれ設け、前記下部の株元側搬送装置に、左側部の条の穀稈下部を搬送する左側下部の株元側搬送機構と、中央部の条の穀稈下部を搬送する中央下部の株元側搬送機構と、右側部の条の穀稈下部を搬送する右側下部の株元側搬送機構とを設け、前記左側下部の株元側搬送機構の、その下手側の穀稈搬送路と、前記右側下部の株元側搬送機構の、その下手側の穀稈搬送路との合流部は、脱穀装置に穀稈を供給する供給搬送装置側に偏位して設けたことを特徴とするコンバインの刈取部。」
　
３-3．甲号各証等記載の発明
（１）甲第１号証（特開平２−３５０１７号公報）
には、以下の事項が記載されている。
（１-a）「第６図に本発明に係る投入型コンバインの全体側面が示される。・・・
　前記刈取部(Ｂ)は、刈取前処理装置(５)と、オーガ(６)と、３個の回転胴(7A)〜(7C)を有する掻き上げ装置(７)とからなる。植立穀稈を刈取前処理装置(５)によって引き起こしてその着粒部を刈り取り、刈り取られた着粒部をオーガ(６)によって刈幅中間に搬送して寄せ集め、集められた着粒部を掻き上げ装置(７)によって搬送経路(Ｒ)を通して後上方に搬送し、軸流型脱穀装置(Ｃ)に供給するようになっている。」（２頁左下欄２０行〜同頁右下欄１５行）、
（１-b）「前記刈取前処理装置(５)は、第２図に示すように、６条の植立穀稈を立姿勢に引き起こす引起し装置(９)と、引き起こされた植立穀稈の株元を切断する第１刈取装置(10)と、第１刈取装置(10)により刈り取られた６条の穀稈を立姿勢のまま挟持搬送し、且つ２条ずつ合流させる挟持搬送装置(11)と、挟持搬送装置(11)によって搬送されてきた穀稈の着粒部の下方部位を切断する第２刈取装置(12)などからなる。」（２頁右下欄１６行〜３頁左上欄４行）、
（１-c）「前記挟持搬送装置(11)の終端側の上方部位には、穂先係止搬送装置(22)を設けてある。この穂先係止搬送装置(22)は、後述する断面六角形状の第２駆動軸(31)に沿って上下に移動調節できる構造になっている。第２刈取装置(12)によって切断された着粒部を、この穂先係止搬送装置(22)の係止爪(22a)によって後方に案内しながら内側に横倒しし、オーガ(６)に放り込んでいく。」（３頁左下欄７〜１５行）、
（１-d）「次に、刈取前処理装置(５)の伝動構造について簡単に説明する。
　第２図に示すように、・・・静油圧式無段変速装置(HST)の出力軸(27)を、引起し装置(９)の上端に配備された引起し駆動軸(28)に、伝動ベルト(Ｖ)を介して連動連結してある。また、引起し駆動軸(28)に、各引起し装置(９)に対応した縦向きの伝動軸(29)をベベルギヤ連結してあり、この縦向きの伝動軸(29)の下端に、引起し装置(９)用の第１駆動軸(30)と、穂先係止搬送装置(22)用の第２駆動軸(31)をベベルギヤ連結してある。更に、第２駆動軸(31)の下端に挟持搬送装置(11)用の第３駆動軸(32)をベベルギヤ連結してあり、挟持搬送装置(11)には第１・第２刈取装置(10)，(12)用の第４駆動軸(33)を連動連結してある。
　前記縦向きの伝動軸(29)と第２駆動軸(31)の連結部、第２駆動軸(31)と第３駆動軸(32)の連結部は、両方ともベベルギヤケース(34)，(35)に収めてある。これらのベベルギヤケース(34)，(35)は、引起し駆動軸(28)のケース(36)と分草フレーム(17)とによって支持された縦フレーム(37)に固定してある。」（３頁右下欄１０行〜４頁上段左欄１３行）。
　上記記載及び図面の記載によると、甲第１号証には、複数条の穀稈を引き起こす引起し装置(９)と、該穀稈引起し装置により引き起こされた複数条の穀稈を刈り取る第１刈取装置(10)及び第２刈取装置(12)と、該刈取装置により刈り取られた穀稈を脱穀装置側へ搬送する穂先係止搬送装置(22)と挟持搬送装置(11)とを具備する刈取前処理装置(５)と、オーガ(６)と、掻き上げ装置(７)とからなる、投入型コンバインの刈取部(Ｂ)において、前記複数の引起し装置(９)を連動して駆動する引起し駆動軸(28)を引起し装置(９)の上端に配備し、前記複数の引起し装置(９)を引起し駆動軸(28)から下向きに設けた伝動軸(29)を介して駆動すると共に、前記穂先係止搬送装置(22)に、左側部の条の穀稈上部を搬送する左側上部の穂先係止搬送装置(22)と、中央部の条の穀稈上部を搬送する中央上部の穂先係止搬送装置(22)と、右側部の条の穀稈上部を搬送する右側上部の穂先係止搬送装置(22)とを設け、前記右側上部、左側上部及び中央上部の穂先係止搬送装置(22)を前記下向き伝動軸(29)から下向きに設けた第２駆動軸(31)を介して駆動する一方、エンジンから動力は伝動ベルト(Ｖ)によって引起し駆動軸(28)に伝達されるように構成され、前記中央上部の穂先係止搬送装置(22)は、その穀稈搬送路が機体の略前後方向に配置されている投入型コンバインの刈取前処理装置（以下、「甲第１号証の発明」という。）が記載されていると認められる。
（２）甲第２号証（特開平１−１７１４０８号公報）には、コンバインにおいて、左側支持パイプ16の上下中間位置で内側にケース45を突出させ、ケース45に支持する左側上部のスターホイール44を、刈取部の下部左右方向に位置する横軸27から立ち上がる左回転軸29の上下中間位置からスプロケット40、42とチェーン43によって駆動する構成が記載されている。
（３）甲第３号証（実開昭６２−３９４３５号公報）には、「刈取穀稈を搬送する第１無端回動帯６、該第１無端回動帯６に搬送穀稈を合流させる第２無端回動帯７、該第２無端回動帯７からの穀稈の合流位置より搬送下手側に搬送穀稈を合流させる第３無端回動帯８で株元搬送機構を構成すると共に、第１無端回動帯６が巻回する後部輪体６ｂ及び第３無端回動帯８が巻回する後部輪体８ｂ夫々を駆動するように伝動系を形成し、第１無端回動帯６が巻回する前部輪体６ａと同軸に設けた回転パツカー４ｅに咬合する遊転構造の回転パツカー４ｄあるいは、第３無端回動帯８が巻回する前部輪体８ａと同軸に設けた回転パツカー４ａに咬合する遊転構造の回転パツカー４ｂのいずれか一方に、第２無端回動帯７が巻回する前部輪体７ａと同軸に設けた回転パツカー４ｃを咬合させ、第１無端回動帯６あるいは第３無端回動帯８から伝えられる動力で第２無端回動帯７を駆動するよう構成してあるコンバインの穀稈搬送構造。」（実用新案登録請求の範囲）と記載されている。
（４）実開昭６３−８６７２７号公報（異議申立人が回答書で提出）には、引起し装置の下方に位置する下部横伝動軸に動力伝達し、下部横伝動軸から車体左側の伝動ケース１０に内装された伝動軸１１を介して引起し装置の上方に配置した横向きの駆動軸１２に動力伝動し、伝動軸１５を介して引起し装置３を駆動する構成が記載されている。
　
３-4．対比・判断
　本件発明と甲第１号証の発明とを対比すると、甲第１号証の発明における「引起し装置（９）」、「第１刈取装置(10)及び第２刈取装置(12)」、「穂先係止搬送装置（22）」、「挟持搬送装置（11）」、「引起し駆動軸（28）」及び「伝動軸（29）」が、本件発明における「穀稈引起し装置」、「刈刃」、「穂先側搬送装置」、「株元側搬送装置」、「上部横伝動軸」及び「下向き伝動軸」に対応している。
　そうすると、本件発明と甲第１号証の発明とは、
複数条の穀稈を引き起こす穀稈引起し装置と、該穀稈引起し装置により引き起こされた複数条の穀稈を刈り取る刈刃と、該刈刃により刈り取られた穀稈を脱穀装置側へ搬送する穂先側搬送装置と株元側搬送装置とを具備するコンバインの刈取部において、前記複数の引起し装置を連動して駆動する上部伝動軸を引起し装置の上方に配置し、前記複数の引起し装置を上部伝動軸から下向きに設けた伝動軸を介して駆動すると共に、前記上部の穂先側搬送装置に、左側部の条の穀稈上部を搬送する左側上部の穂先側搬送機構と、中央部の条の穀稈上部を搬送する中央上部の穂先側搬送機構と、右側部の条の穀稈上部を搬送する右側上部の穂先側搬送機構とを設け、前記右側上部の穂先側搬送機構を前記伝動軸から下向きに設けた軸を介して駆動する一方、前記下部の株元側搬送装置に、左側部の条の穀稈下部を搬送する左側下部の株元側搬送機構と、中央部の条の穀稈下部を搬送する中央下部の株元側搬送機構と、右側部の条の穀稈下部を搬送する右側下部の株元側搬送機構とを設けたコンバインの刈取部で一致し、次の点で構成が相違する。
（Ａ）本件発明では、「右側上部の穂先側搬送機構を前記伝動軸から下向きに設けた軸を介して駆動する一方、前記左側上部の穂先側搬送機構は、刈取部の下部左右方向下部伝動軸から立ち上がる側部伝動軸の上下中間位置から内側に突出させて設けた側部横伝動軸に設けた側部取付筒内に設けた軸の上端部に取付け」ているのに対して、甲第１号証の発明では、右側上部及び左側上部の穂先側搬送機構（穂先係止搬送装置（22））を、引起し装置(９)の上端に配備した引起し駆動軸(28)から下向きに設けた第２駆動軸（31）を介して駆動する点、
（Ｂ）本件発明では、刈取部フレームが機体に回動自在に取付けた入力伝動筒に縦支持筒の基部を取付けて該縦支持筒の下部先端に取付けられており、「刈取部フレームは、前記縦支持筒の下部に取付ける左右方向の下部伝動筒と、該下部伝動筒の左右いずれか一側に上方に起立するように設けた側部伝動筒と、前記下部伝動筒の左右いずれか他側に上方に起立するように設けた伝動機構を有しない側部支持フレームと、前記側部伝動筒および側部支持フレームの上部を連結固定する左右方向の上部伝動筒とを有すると共に、前記縦支持筒内には縦伝動軸を、前記下部伝動筒内には前記下部伝動軸を、前記側部伝動筒内には前記側部伝動軸を、前記上部伝動筒内には前記上部伝動軸をそれぞれ設け」ているのに対して、甲第１号証の発明では、刈取部(Ｂ)が、オーガ(６)、掻き上げ装置(７)とからなっており、下部伝動筒及び下部伝動筒内の下部伝動軸が設けられていない点、
（Ｃ）本件発明では、「左側下部の株元側搬送機構の、その下手側の穀稈搬送路と、前記右側下部の株元側搬送機構の、その下手側の穀稈搬送路との合流部は、脱穀装置に穀稈を供給する供給搬送装置側に偏位して設け」ているのに対して、甲第１号証の発明では、左側下部の株元側搬送機構（挟持搬送装置(11)）の下手側の穀稈搬送路と、前記右側下部の株元側搬送機構（挟持搬送装置(11)）の下手側の穀稈搬送路とが合流していない点。
　上記相違点（Ａ）について検討すると、甲第２号証ないし甲第３号証には、右側上部の穂先側搬送機構を伝動軸から下向きに設けた軸を介して駆動する一方、左側上部の穂先側搬送機構は、刈取部の下部左右方向下部伝動軸から立ち上がる側部伝動軸の上下中間位置から内側に突出させて設けた側部横伝動軸に設けた側部取付筒内に設けた軸の上端部に取付ける構成は記載されておらず、且つ、示唆されてもいない。
　また、上記相違点（Ｂ）について検討すると、甲第１号証の発明は、投入型コンバインであって、刈取部(Ｂ)にオーガ(６)を有するものであり、下部横伝動軸を設けることができないものであるから、下部横伝動軸から車体左側の伝動ケースに内装された伝動軸を介して引起し装置の上方に配置した横向きの駆動軸に動力伝達することが公知（上記実開昭６３−８６７２７号公報参照）であるとしても、上記相違点（Ｂ）における本件発明の構成を当業者が容易に想到することができるものではない。
　そして、本件発明は、特許明細書記載の効果を奏するものであるから、上記相違点（Ｃ）を検討するまでもなく、本件発明が甲第１号証ないし甲第３号証に記載された発明に基いて当業者が容易に発明をすることができたものであるとすることはできない。
　
３-5．むすび　
　以上のとおりであるから、特許異議の申立ての理由によっては本件発明についての特許を取り消すことはできない。
　また、他に本件発明についての特許を取り消すべき理由を発見しない。
　したがって、本件発明についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１６年３月２４日（２００４．３．２４）
【訂正の要旨】
審決（決定）の【理由】欄参照。
（５４）【発明の名称】
コンバインの刈取部
（５７）【特許請求の範囲】
　【請求項１】
機体に回動自在に取付けた入力伝動筒に縦支持筒の基部を取付けて該縦支持筒の下部先端に取付けた刈取部フレームと、
前記刈取部フレームは、前記縦支持筒の下部に取付ける左右方向の下部伝動筒と、該下部伝動筒の左右いずれか一側に上方に起立するように設けた側部伝動筒と、前記下部伝動筒の左右いずれか他側に上方に起立するように設けた伝動機構を有しない側部支持フレームと、前記側部伝動筒および側部支持フレームの上部を連結固定する左右方向の上部伝動筒とを有すると共に、前記縦支持筒内には縦伝動軸を、前記下部伝動筒内には前記下部伝動軸を、前記側部伝動筒内には前記側部伝動軸を、前記上部伝動筒内には前記上部伝動軸をそれぞれ設け、
【発明の詳細な説明】
　【０００１】
　【発明の属する技術分野】
　本発明は、コンバインの刈取部に係るものである。
　【０００２】
　【従来の技術】
　従来、コンバインの刈取部において、左側下部の株元側搬送機構の、その下手側の穀稈搬送路は、前記右側下部の株元側搬送機構の、その下手側の穀稈搬送路と略平行状態を構成していなかった。
　【０００３】
　【発明が解決しようとする課題】
　左側下部の株元側搬送機構から右側下部の株元側搬送機構に穀稈を引継ぎ搬送するにあたり、穀稈の引継ぎがスムーズに実行されないという不具合があった。
　【０００４】
　【課題を解決するための手段】
　本発明の上記課題は次の構成によって達成される。すなわち、
機体に回動自在に取付けた入力伝動筒に縦支持筒の基部を取付けて該縦支持筒の下部先端に取付けた刈取部フレームと、
前記刈取部フレームは、前記縦支持筒の下部に取付ける左右方向の下部伝動筒と、該下部伝動筒の左右いずれか一側に上方に起立するように設けた側部伝動筒と、前記下部伝動筒の左右いずれか他側に上方に起立するように設けた伝動機構を有しない側部支持フレームと、前記側部伝動筒および側部支持フレームの上部を連結固定する左右方向の上部伝動筒とを有すると共に、前記縦支持筒内には縦伝動軸を、前記下部伝動筒内には前記下部伝動軸を、前記側部伝動筒内には前記側部伝動軸を、前記上部伝動筒内には前記上部伝動軸をそれぞれ設け、
　【０００５】
　【発明の実施の形態】
　本発明の実施例を図により説明すると、１は機体、２は該機体１の下方位置に設けた走行装置、３は前記機体１の上方位置に設けた脱穀装置、４は該脱穀装置３の前川一側位置に設けた操縦部、５は前記脱穀装置３および前記操縦部４の前方位置に設けた刈取部である。該刈取部５は縦支持筒６の先端に刈取部フレーム７を取付け、前記縦支持筒６の基部を前記機体１に回動自在に取付ける。
　【０００６】
　前記刈取部フレーム７は、前記縦支持筒６の下部に取付ける左右方向の下部伝動筒１０と、該下部伝動筒１０の左右いずれか一側に上方に起立するように設けた側部伝動筒１１と、前記下部伝動筒１０の左右いずれか他側に上方に起立するように設けた伝動機構を有しない側部支持フレーム１２と、前記側部伝動筒１１および側部支持フレーム１２の上部を連結固定する左右方向の上部伝動筒１３とを有する。前記下部伝動筒１０には前後方向の取付杆１４、１４の基部を固定し、該取付杆１４、１４の先端には左右方向の刈刃フレーム１５を固定し、該刈刃フレーム１５には複数の前後方向の分草杆１６の基部を左右に所定の間隔を置いて固定している。
　【０００７】
　前記刈取部５は、前記各分草杆１６の先端に分草体１７をそれぞれ固定し、各分草体１７の後方には分草した穀稈を引起す引起装置１８をそれぞれ設ける。各引起装置１８はその上部を前記上部伝動筒１３に取付けた下向き伝動筒１９に否定し、下部は前記分草杆１６に固定する。前記各引起装置１８の後方には穂先掻込装置２０および株元掻込装置２１をそれぞれ設ける。前記株元掻込装置２１の下方には穀稈の根部を切断する刈刃２２を設ける。刈刃２２は前記刈刃フレーム１５に取付けられている。前記刈刃２２の上方には、切断された穀稈を後方に搬送する株元側搬送装置２３と穂先側搬送装置２４を設ける。前記各株元側搬送装置２３と前記各穂先側下搬送装置２４の搬送通路の後側には、前記各株元側搬送装置２３と前記各穂先側下搬送装置２４とにより搬送された穀稈を株元引継搬送装置２５と穂先引継搬送装置２６にまで搬送する後側株元搬送装置２７を設けている。
　【０００８】
　しかして、前記刈取部５は、刈取る穀稈１条に対して例えば１個の引起装置１８を設けているので、３条刈りでは３個の引起装置１８が、４条刈では４個の引起装置１８を必要とし、刈取る条数に応じた複数の引起装置１８等を取付けられるように左右幅の相違する刈取部フレーム７を数種類製造している。本発明は、前記下部伝動筒１０および上部伝動筒１３の構成を工夫し、刈取る条数に応じて合理的に部品を共通させかつ強度充分の刈取部フレーム７に変更できるようにしたものである。
　【０００９】
　前記下部伝動筒１０は、前記縦支持筒６の下部を固定する中央下部伝動筒２８と、前記側部伝動筒１１の下部を取付ける左側下部伝動筒２９と、前記側部支持フレーム１２の下部を取付ける右側下部伝動筒３０とにより構成するが、４条刈の下部伝動筒１０に対して５条刈の下部伝動筒１０の場合は、前記中央下部伝動筒２８はそのままで、前記左側下部伝動筒２９および右側下部伝動筒３０を一株間の距離分の長さ約３０ｃｍ長く形成し、それぞれを固定して構成する。
　【００１０】
　５条刈の下部伝動筒１０に対して６条刈の下部伝動筒１０の場合は、前記中央下部伝動筒２８、前記左側下部伝動筒２９および右側下部伝動筒３０はそのままで、更に一株間の距離分の長さ約３０ｃｍのスペーサ３１を前記中央下部伝動筒２８と左側下部伝動筒２９との間に設け、それぞれを固定して形成する。したがって、中央下部伝動筒２８は全ての刈取部５に対応でき、５条刈の下部伝動筒１０と６条刈の下部伝動筒１０では、前記右側下部伝動筒３０および左側下部伝動筒２９を対応させることができる。
　【００１１】
　また、前記上部伝動筒１３は、左側上部伝動筒３２と、右側上部伝動筒３３とにより構成し、前記左側上部伝動筒３２には左端に前記側部伝動筒１１の上部を固定するが、左側上部伝動筒３２の右側には前記引起装置１８の下向き伝動筒１９の取付位置を変更できるように二箇所の取付部３４、３５を形成する。前記右側上部伝動筒３３は左端を前記左側上部伝動筒３２との接合部に形成し、右端には下向き伝動筒１９の上部を取付ける。
　【００１２】
　そして、３条刈の上部伝動筒１３の場合は、前記左側上部伝動筒３２の取付部３４に下向き伝動筒１９を取付けるが、４条刈の上部伝動筒１３の場合は、前記左側上部伝動筒３２および右側上部伝動筒３３はそのままで、前記左側上部伝動筒３２と右側上部伝動筒３３との間にスペーサ３６を設け、前記左側上部伝動筒３２の取付部３５に逆Ｔ型形状の下向き伝動筒１９の上部を取付け、該下向き伝動筒１９に２個の引起装置１８を取付ける。
　【００１３】
　４条刈の上部伝動筒１３ら対して、５条刈の上部伝動筒１３の場合は、前記左側上部伝動筒３２および右側上部伝動筒３３はそのままで、前記スペーサ３６より短かいスペーサ３７を前記左側上部伝動筒３２の右端に取付け、スペーサ３７と前記右側上部伝動筒３３との間に取付部３８を有する中間上部伝動筒３９を設け、前記取付部３８にクランク形状の下向き伝動筒１９の上部を取付けて構成する。
　【００１４】
　５条刈の上部伝動筒１３に対して６条刈の上部伝動筒１３の場合は、前記左側上部伝動筒３２。右側上部伝動筒３３および中間上部伝動筒３９はそのままで、前記スペーサ３７よりも長いスペーサ４０を前記左側上部伝動筒３２と前記中間上部伝動筒３９との間に設け、前記取付部３８に逆Ｌ型形状の下向き伝動筒１９の上部を取付け、該下向き伝動筒１９に２個の引起装置１８を取付けて構成する。したがって、左側滋養部伝動筒３２および右側上部伝動筒３３は全ての刈取部５に対応でき、５条刈の上部伝動筒１３と６条刈の上部伝動筒１３で前記中間上部伝動筒３９を対応させることができる。
　【００１５】
　しかして、第１２図に示したように、前記縦支持筒６の上部は、左右方向の入力伝動筒４１に取付け、該入力伝動筒４１は前記機体１側に設けた支持台４２、４２に回動自在に取付け、刈取部５を前記入力伝動筒４１を中心に上下回動するように取付ける。４３は刈取部上下シリンダである。入力伝動筒４１の前記操縦部４の反対側には、ギヤケース４４が設けられる。ギヤケース４４は左右に分割形成され、内側ケース４５をその内側からボルト４６により前記入力伝動筒４１に取付固定する。前記ギヤケース４４の外側ケース４７には、前記株元引継搬送装置２５と穂先引継搬送装置２６を取付ける。したがって、入力
伝動
　【００１６】
　また、第１０図、第１１図は４条刈および５条刈の伝動機構を示した実施例であり、４９は前記縦支持筒６内に設けた縦伝動軸、５０は前記下部伝動筒１０内に設けた下部横伝動軸、５１は前記側部伝動筒１１内に設けた側部縦伝動軸、５２は前記上部伝動筒１３内に設けた上部横伝動軸であり、これらの伝動軸は伝動機構を介して回転を伝達している。そして、前記各引起装置１８は前記したように前記上部横伝動軸５２に前記下向き伝動筒１９内の伝動軸５３を連結させて駆動させている。
　【００１７】
　前記側部伝動筒１１の略上下中間部には側部横伝動筒５４の基部を取付け、側部横伝動筒５４の中間部には側部下向き取付筒５５の上部を取付け、該側部下向き取付筒５５内には前記株元側搬送装置２３のうち左側株元側搬送装置２３の駆動軸５６を軸装し、該駆動軸５６の下端部に駆動歯車５７を固定している。また、側部横伝動筒５４の先端には側部上向き取付筒５８の下部を固定し、側部上向き取付筒５８の上部には前記穂先側搬送装置２４のうち左側穂先側搬送装置２４のケースを取付けている。したがって、側部横伝動筒５４等の形状が簡素化されると共に穂先側搬送装置２４のケースも小型にでき、強度を向上させ、藁溜りを防止できる。
　【００１８】
　また、前記下向き伝動筒１９のうち逆さＴ型形状に形成されたものの二又筒部５９には、下方に伸びる下向き取付筒６０の上部を固定する。該下向き取付筒６０の下部には、前記穂先側搬送装置２４のうち左の外側株の進行路より内側に位置する中間穂先側搬送装置２４のケースを取付ける。該中間穂先側搬送装置２４のケースの下面には、更に下方に伸びる下向き取付筒６１の上部を固定する。下向き取付筒６１には前記株元側搬送装置２３のうち左の外側株の進行路より内側に位置する中間株元側搬送装置２３の駆動軸６２を軸装し、駆動軸６２の下部に駆動歯車６３を固定している。なお、５条刈の実施例において、前記下向き伝動筒１９のうち逆さＬ型形状に形成されたものは、前記下向き伝動筒１９のうち逆さＴ型形状に形成されたものの二又筒部５９の一部を利用し、部品の共通化を図っている。
　【００１９】
　また、前記下部伝動筒１０には上向き取付筒６４の下部を取付け、該上向き取付筒６４内には前記株元側搬送装置２３のうち右側株元側搬送装置２３の駆動軸６５を軸装し、該駆動軸６５の上部に駆動歯車６６を固定している。以上のように、前記側部伝動筒１１と前記側部支持フレーム１２の間の穀稈搬送通路内の下部伝動筒１０には、上方に突き出る伝動筒がないので、円滑に搬送できる。
　【００２０】
　しかして、第１３図〜第１５図は、前記穂先掻込装置２０および株元掻込装置２１のうち中央の一対の穂先掻込装置２０および株元掻込装置２１の取付構造を示したものであり、穂先掻込装置２０および株元掻込装置２１の伝動筒６７、６７を左右方向の連結杆６８で連結し、連結杆６８の中央部にはステー６９を設ける。ステー６９にはＳ字形状の支持筒７０の中間部を固定し、支持筒７０の先端は前記分草杆１６に固定するる支持筒７０の上部は前記下向き取付筒６０に固定する。したがって、支持筒７０は前記刈取部フレーム７の強度メンバーとなり、刈取部フレーム７の強度を向上させ、穂先掻込装置２０および株元掻込装置２１ばかりでなく、株元側搬送装置２３と穂先側搬送装置２４をも支持する。また、株元掻込装置２１の下方に支持フレームがないので、藁屑・泥土の詰まりも防止する。
　【００２１】
　７１は他の中間位置にある穂先掻込装置２０および株元掻込装置２１の支持筒であり、先端を前記分草杆１６に固定し、中間部を穂先掻込装置２０および株元掻込装置２１の伝動筒７２に固定し、上部は別の前記下向き取付筒６０に固定する。
　【００２２】
　しかして、前記上向き取付筒６４に軸装した駆動軸６５の上端には、後側株元搬送装置２７の駆動歯車７３を固定する。前記上向き取付筒６４の上部にはステー７４を回動自在に取付ける。ステー７４には、後側株元搬送装置２７のチエン７５の案内レール７６の基部を固定する。案内レール７６の先端には、ステー７７を取付け、該ステー７７には軸７８を取付け、軸７８には案内ローラ７９を取付ける。
　【００２３】
　前記縦支持筒６には支持筒８０の基部を取付け、支持筒８０にはロック用ステー８１を固定し、該ロック用ステー８１には前記軸７８が係合する係合溝８２を形成する。前記ロック用ステー８１には前記係合溝８２に係合した軸７８をロックするロック爪８３を取付ける。８４は操作レバーであり、基部を前記ロック爪８３に固定する。
　【００２４】
　後側株元搬送装置２７は前記上向き取付筒６４を中心に外側回動させることができ、容易にメンテナンスを行うことができる。また、前記駆動軸６５にはテンションアーム８５の中央部を軸着し、一端にはテンションローラ８６を取付け、テンションローラ８６を前記チエン７５に当接させる。テンションアーム８５の他端にはテンションバネ８７の一端を係止し、側株元搬送装置２７のチエンの張具合の調節も容易であり、また、後側株元搬送装置２７を回動させてもチエンの張には影響ない。
　【００２５】
　【発明の効果】
　本発明は前述のごとく、
機体に回動自在に取付けた入力伝動筒に縦支持筒の基部を取付けて該縦支持筒の下部先端に取付けた刈取部フレームと、
前記刈取部フレームは、前記縦支持筒の下部に取付ける左右方向の下部伝動筒と、該下部伝動筒の左右いずれか一側に上方に起立するように設けた側部伝動筒と、前記下部伝動筒の左右いずれか他側に上方に起立するように設けた伝動機構を有しない側部支持フレームと、前記側部伝動筒および側部支持フレームの上部を連結固定する左右方向の上部伝動筒とを有すると共に、前記縦支持筒内には縦伝動軸を、前記下部伝動筒内には前記下部伝動軸を、前記側部伝動筒内には前記側部伝動軸を、前記上部伝動筒内には前記上部伝動軸をそれぞれ設け、
【図面の簡単な説明】
　【図１】側面図
　【図２】平面図
　【図３】正面図
　【図４】正面図
　【図５】正面図
　【図６】正面図
　【図７】正面図
　【図８】正面図
　【図９】正面図
　【図１０】断面図
　【図１１】正面図
　【図１２】正面図
　【図１３】側面図
　【図１４】斜視図
　【図１５】平面図
　【図１６】平面図
　【図１７】斜視図
　【符号の説明】
　３…脱穀装置、５…刈取部、１８…引起し装置、２２…刈刃。